(57)【要約】【課題】撮影パラメータの変更方法を向上させることが可能な情報処理装置、および記憶媒体を提供する。【解決手段】撮影パラメータを保持させる保持制御部と、前記撮影パラメータの変更を指示する変更指示部と、前記変更指示部からの指示に応じて、周囲の環境に依存せずに前記撮影パラメータを変更する変更処理部と、を備え、前記変更指示部からの指示は、前記撮影パラメータの変更の内容を示すものではなく、変更実施を指示するものである、情報処理装置。【選択図】図１
2013183338.tif 000002
【特許請求の範囲】
【請求項１】
撮影パラメータを保持させる保持制御部と、
前記撮影パラメータの変更を指示する変更指示部と、
前記変更指示部からの指示に応じて、周囲の環境に依存せずに前記撮影パラメータを変更する変更処理部と、
を備え、
前記変更指示部からの指示は、前記撮影パラメータの変更の内容を示すものではなく、変更実施を指示するものである、情報処理装置。
【請求項２】
前記保持制御部により保持させられる変更前の前記撮影パラメータは、周囲の環境に応じて設定された撮影パラメータである、請求項１に記載の情報処理装置。
【請求項３】
前記情報処理装置は、
ユーザによる操作を検出する操作検出部をさらに備え、
前記変更指示部は、前記操作検出部によりユーザによる変更指示操作が検出された場合、前記撮影パラメータの変更を指示する、請求項１に記載の情報処理装置。
【請求項４】
前記変更処理部は、前記操作検出部により検出された変更指示操作に応じて、前記撮影パラメータの変更度合いを決定する、請求項３に記載の情報処理装置。
【請求項５】
前記変更処理部は、前記変更指示操作における操作時間の長さ、操作の強さ、または操作の方向に応じて、前記撮影パラメータの変更度合いを決定する、請求項４に記載の情報処理装置。
【請求項６】
前記変更指示部は、同じ構図で所定の回数以上撮像動作が行われた場合、前記撮影パラメータの変更を指示する、請求項１に記載の情報処理装置。
【請求項７】
前記変更処理部は、乱数に基づいて前記撮影パラメータを変更する、請求項１に記載の情報処理装置。
【請求項８】
前記変更処理部は、学習データに基づいて、前記撮影パラメータを変更する、請求項１に記載の情報処理装置。
【請求項９】
前記変更処理部は、予め設定された非常用撮影パラメータに基づいて、前記撮影パラメータを変更する、請求項１に記載の情報処理装置。
【請求項１０】
前記撮影パラメータは、シャッター速度、絞り、ＥＶシフト、ＩＳＯ感度、露出モード、ホワイトバランス、色強調、彩度、コントラスト、シャープネス、またはフラッシュ撮影ＯＮ／ＯＦＦの少なくともいずれかである、請求項１に記載の情報処理装置。
【請求項１１】
前記変更処理部は、複数の撮影パラメータのうち少なくともいずれかの撮影パラメータを変更する、請求項１に記載の情報処理装置。
【請求項１２】
前記情報処理装置は、
前記変更処理部による前記撮影パラメータの変更内容をユーザに通知する通知部をさらに備える、請求項１に記載の情報処理装置。
【請求項１３】
前記変更処理部は、変更した撮影パラメータを、前記保持制御部により保持された前記撮影パラメータに戻す処理を行う、請求項１に記載の情報処理装置。
【請求項１４】
前記情報処理装置は、
前記変更処理部により変更された撮影パラメータに基づいて撮像を行うよう撮像部に指示する撮像指示部と、
撮像した撮像画像に対するユーザの評価に応じて、前記撮影パラメータを他の情報処理装置に送信する送信部と、
をさらに備える、請求項１に記載の情報処理装置。
【請求項１５】
前記情報処理装置は、
前記変更指示部からの指示に応じて、他の情報処理装置に要求信号を送信する送信部と、
前記要求信号に応じた撮影パラメータを受信する受信部と、
前記受信部により受信した撮影パラメータに基づいて撮像を行うよう撮像部に指示する撮像指示部と、
をさらに備える、請求項１に記載の情報処理装置。
【請求項１６】
撮影パラメータを保持させる処理と、
前記撮影パラメータの変更を指示する処理と、
前記変更を指示する処理による指示に応じて、周囲の環境に依存せずに前記撮影パラメータを変更する処理と、
をコンピュータに実行させ、
前記変更を指示する処理による指示は、前記撮影パラメータの変更の内容を示すものではなく、変更実施を指示するものであるプログラムが記憶された、記憶媒体。
【発明の詳細な説明】
【技術分野】
【０００１】
本開示は、情報処理装置および記憶媒体に関する。
【背景技術】
【０００２】
近年、被写体画像をデジタル画像信号として記憶媒体に記憶して保存するデジタルカメラやデジタルビデオカメラが普及している。このようなカメラで撮影を行う際、周囲の環境や状況に応じて、カメラの各撮影パラメータを適切に設定する必要がある。例えば、下記特許文献１では、各撮影パラメータの設定を快適に切り替えられるよう、複雑な操作を直感的に行える操作レバーが提案されている。【０００３】
しかし、各撮影パラメータをマニュアルで適切に設定することは一般的なユーザにとって困難であるので、通常、デジタルカメラ等には、環境に応じた撮影パラメータが自動的に設定されるオート機能が搭載されている。例えば、下記特許文献２〜４では、被写体に応じた適切な撮影パラメータを自動的に設定する撮像装置が提案されている。【０００４】
また、下記特許文献５には、指定された被写体に応じた撮影パラメータを提示する技術が提案され、下記特許文献６、７には、ユーザの好みに応じた撮影条件を容易に設定する技術が提案されている。
【先行技術文献】
【特許文献】
【０００５】
【特許文献１】特開２００９−２８４３２２号公報
【特許文献２】特開２００５−１８４６１０号公報
【特許文献３】特開２０１１−１０３５４８号公報
【特許文献４】特開２０１０−１６６５１５号公報
【特許文献５】特開２０１１−１０２７３号公報
【特許文献６】特開２００７−２５１９７４号公報
【特許文献７】特開２０１１−１８８３１８号公報
【発明の概要】
【発明が解決しようとする課題】
【０００６】
しかしながら、上記いずれの技術においても、オート機能を用いた場合、各撮影パラメータは、被写体や周囲の環境に応じて一定の範囲内で設定されるので、構図が単純な写真には対応できても、逆光や複雑な構図に対応することは難しかった。【０００７】
例えば、逆光時に何度オート撮影を行っても、全て顔が真っ暗になったり、ブレたりする失敗写真になってしまうことがあった。熟練したユーザであれば、逆光時に顔が真っ暗になる場合はフラッシュ撮影に切り替えることで改善できることが分かるが、一般的なユーザには判断が難しく、また、判断できたとしてもフラッシュ撮影に切り替える操作が手間であった。また、ブレ写真は、シャッタースピードとＩＳＯ感度を上げれば改善できるが、同様に一般的なユーザには判断が難しく、また、判断できたとしてもシャッタースピード等の変更操作が手間であった。【０００８】
また、フラッシュ撮影への切り替えや、シャッタースピード等の変更操作を行って撮影した後、ユーザは元のオート撮影に戻す場合が多いので、二度手間になっていた。【０００９】
そもそも、夕焼け、朝焼け等の逆光写真や、複雑な構図の写真は、予め予想されたシーンに応じて設定される一定の範囲内の撮影パラメータではなく、その場の状況に応じてユーザがマニュアルで対応することが望ましい。しかし、上述したように一般的なユーザにはどの撮影パラメータをどう変更すれば満足できる撮影を行えるのか判断することが難しかった。【００１０】
そこで、本開示では、撮影パラメータの変更方法を向上させることが可能な、新規かつ改良された情報処理装置および記憶媒体を提案する。
【課題を解決するための手段】
【００１１】
本開示によれば、撮影パラメータを保持させる保持制御部と、前記撮影パラメータの変更を指示する変更指示部と、前記変更指示部からの指示に応じて、周囲の環境に依存せずに前記撮影パラメータを変更する変更処理部と、を備え、前記変更指示部からの指示は、前記撮影パラメータの変更の内容を示すものではなく、変更実施を指示するものである、情報処理装置を提案する。【００１２】
本開示によれば、撮影パラメータを保持させる処理と、前記撮影パラメータの変更を指示する処理と、前記変更を指示する処理による指示に応じて、周囲の環境に依存せずに前記撮影パラメータを変更する処理と、をコンピュータに実行させ、前記変更を指示する処理による指示は、前記撮影パラメータの変更の内容を示すものではなく、変更実施を指示するものであるプログラムが記憶された、記憶媒体を提案する。
【発明の効果】
【００１３】
以上説明したように本開示によれば、撮影パラメータの変更方法を向上させることが可能となる。
【図面の簡単な説明】
【００１４】
【図１】本開示の一実施形態による撮影パラメータ変更システムの概要を説明するための図である。
【図２】本開示の一実施形態によるデジタルカメラのハードウェア構成を示すブロック図である。
【図３】第１の実施形態によるＣＰＵの機能構成を示す図である。
【図４】ユーザによる評価を受け付けるための満足ボタンの表示例を示す図である。
【図５】第１の実施形態による動作処理を示すフローチャートである。
【図６】第２の実施形態による撮影パラメータ変更システムの概要について説明するための図である。
【図７】第２の実施形態によるデジタルカメラのＣＰＵの機能構成を示す図である。
【図８】第２の実施形態による撮影パラメータ変更処理を示すフローチャートである。
【図９】第２の実施形態による撮影パラメータ送信側のデジタルカメラの動作処理を示すフローチャートである。
【図１０】周辺ユーザの公開画像の表示例を示す図である。
【図１１】第３の実施形態による撮影パラメータ変更システムの概要について説明するための図である
【図１２】第３の実施形態によるＣＰＵの機能構成を示す図である。
【図１３】第３の実施形態による撮影パラメータ変更処理を示すフローチャートである。
【発明を実施するための形態】
【００１５】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１６】
また、説明は以下の順序で行うものとする。
１．本開示の一実施形態による撮影パラメータ変更システムの概要
２．デジタルカメラの構成
３．各実施形態 
３−１．第１の実施形態
３−２．第２の実施形態
３−３．第３の実施形態
４．まとめ
【００１７】
＜＜１．本開示の一実施形態による撮影パラメータ変更システムの概要＞＞
まず、本開示の一実施形態による撮影パラメータ変更システムの概要について図１を参照して説明する。図１は、本開示の一実施形態による撮影パラメータ変更システムの概要を説明するための図である。図１に示すように、本実施形態によるデジタルカメラ１には、シャッターボタン２、撮り直しボタン３、ＭＯＶＩＥ（動画）ボタン４、再生ボタン５、ダイヤルボタン６、および表示部１６が設けられる。また、図１に示す表示部１６が設けられた面と対向する面には、フラッシュや撮像レンズが設けられている（不図示）。
【００１８】
図１に示すデジタルカメラ１は、動作モードを、例えば静止画撮影モード、動画撮影モード、または再生モードに切り替えることが可能である。静止画撮影モードの場合、デジタルカメラ１は、シャッターボタン２が押下されたタイミングに応じて、撮像レンズにより撮像した静止画像データ（写真）をメモリに記憶する。また、動画撮影モードの場合、デジタルカメラ１は、ＭＯＶＩＥボタン４が押下されたタイミングに応じて動画撮影を開始し、撮像レンズにより撮像した動画データ（ビデオ）をメモリに記憶する。また、再生ボタン５が押下されると、デジタルカメラ１は、動作モードを再生モードに切り替え、メモリに記憶された静止画像データおよび動画データを含む各画像データを表示部１６に表示する。
【００１９】
撮影モード（静止画／動画）の場合、ユーザは、ダイヤルボタン６等を操作して各撮影パラメータをマニュアルで設定してもよいし、オート機能を用いて設定してもよい。通常、一般的なユーザはオート機能を用いて各撮影パラメータを設定する。そして、撮影した画像は、図１に示すように、表示部１６に表示され、ユーザは撮影した画像をすぐに確認することができる。
【００２０】
ここで、逆光の構図や複雑な構図等の撮影し難い構図では、オート機能を用いて何度撮影しても、失敗を繰り返す場合があった。例えば、図１に示すように、逆光の場合に人物が暗く、さらにブレて写ってしまった場合等、熟練したユーザであればフラッシュ撮影に変更する等の改善策を判断できるが、一般的なユーザでは判断することが困難である。したがって、一般的なユーザは、オート撮影を何度も行い、同じ撮影パラメータで撮影を繰り返していた。
【００２１】
しかし、オート機能では、環境に応じて予め設定された一定の範囲内で撮影パラメータが設定されるので、図１に示すような逆光の構図等の複雑な構図には対応することが難しかった。したがって、オート撮影を何度行ってもフラッシュ撮影には変更されず、ユーザは失敗を繰り返すだけであった。
【００２２】
そこで、本開示の一実施形態によるデジタルカメラ１は、例えば図１に示す撮り直しボタン３が押下されると、撮影パラメータを周囲の環境に依存せずに変更し、結果的に適切な撮影パラメータを得ることができる。具体的には、例えば上記オート機能による予め設定された範囲に限定されず、撮り直しボタン３の押下時間の長さ、強さ、または乱数等に基づいて撮影パラメータが変更される。
【００２３】
これにより、オート撮影を何度も行って失敗を繰り返すことを防止することができ、また、デジタルカメラ１の利便性が高くなる。また、撮り直しボタン３の押下時間の長さ、強さ、または乱数等、通常のオート機能にはない基準に基づいて撮影パラメータを変更することで、変更方法を向上させることが可能となる。
【００２４】
なお、本明細書において、各撮影パラメータとは、例えばフラッシュ撮影ＯＮ／ＯＦＦ、シャッタースピード、ＩＳＯ感度、絞り（Ｆ値）、ＥＶ（Ｅｘｐｏｓｕｒｅ  Ｖａｌｕｅ）シフト、露出モード、ホワイトバランス、色強調、彩度、コントラスト、シャープネス等である。
【００２５】
以下、このような本開示による撮影パラメータ変更システムについて、複数の実施形態を用いて説明する。なお、本実施形態では、撮影パラメータ変更システムを実現する情報処理装置の一例としてデジタルカメラ１を示すが、本開示による情報処理装置はこれに限定されない。例えば、本実施形態による情報処理装置は、デジタルビデオカメラ、カメラ付きのスマートフォン、ＰＤＡ（Ｐｅｒｓｏｎａｌ  Ｄｉｇｉｔａｌ  Ａｓｓｉｓｔａｎｔｓ）、ＰＣ（Ｐｅｒｓｏｎａｌ  Ｃｏｍｐｕｔｅｒ）、携帯電話、携帯用音楽再生装置、携帯用映像処理装置または携帯用ゲーム機器等であってもよい。
【００２６】
＜＜２．デジタルカメラの構成＞＞
図２は、本実施形態によるデジタルカメラ１の構成を示すブロック図である。図２に示すように、デジタルカメラ１は、ＣＰＵ１０、ＲＯＭ１１、ＲＡＭ１２、カメラモジュール１３、操作検出部１４、撮影パラメータ記憶部１５、表示部１６、通信部１７、および記憶メディア１８を有する。以下、各構成について具体的に説明する。
【００２７】
カメラモジュール１３は、撮像素子、撮像レンズを含む撮像光学系、および撮像画像信号処理部を含み、デジタル信号とされた撮像画像のデータを出力する。なお、撮像素子は、例えばＣＣＤ（Ｃｈａｒｇｅ  Ｃｏｕｐｌｅｄ  Ｄｅｖｉｃｅ）イメージャやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージャにより実現される。
【００２８】
カメラモジュール１３の各撮影パラメータ（フラッシュＯＮ／ＯＦＦ、シャッタースピード、ＩＳＯ感度、絞り（Ｆ値）、ＥＶシフト、露出モード、ホワイトバランス、色強調、彩度、コントラスト、シャープネス等）は、マニュアルまたはオートで設定されてもよい。また、カメラモジュール１３の各撮影パラメータは、本開示による撮影パラメータ変更システムより変更されてもよい。なお、本開示による撮影パラメータ変更システムの具体的な内容については、後述する「３．各実施形態」において詳細に説明する。
【００２９】
操作検出部１４は、ユーザによるカメラ操作を検出する検出部である。ユーザによるカメラ操作は、例えば、図１に示すように、デジタルカメラ１に物理的に設けられたシャッターボタン２、撮り直しボタン３、ＭＯＶＩＥボタン４、ダイヤルボタン６、および再生ボタン５等により検出される。また、操作検出部１４は、表示部１６に表示される画面に対するユーザのタッチ位置を検知するタッチパネルにより操作を検出してもよい。
【００３０】
撮影パラメータ記憶部１５は、ハードディスク装置等により実現される保持部であって、現在の撮影パラメータを記憶したり、予め設定された撮影パラメータを記憶したり、ユーザによる評価が高かった撮影パラメータを学習データとして記憶したりする。
【００３１】
表示部１６は、メニュー画面や各種操作画面等の他、カメラモジュール１３から出力された撮像画像をリアルタイムに表示したり、記憶メディア１８に記憶されている画像データ（静止画像データ／動画像データ）を表示（再生）したりする。また、表示部１６は、例えばＬＣＤ（Ｌｉｑｕｉｄ  Ｃｒｙｓｔａｌ  Ｄｉｓｐｌａｙ）またはＯＬＥＤ（Ｏｒｇａｎｉｃ  Ｌｉｇｈｔ−Ｅｍｉｔｔｉｎｇ  Ｄｉｏｄｅ）などにより実現される。
【００３２】
通信部１７は、外部装置とデータ通信を行うための通信インターフェースである。
【００３３】
記憶メディア１８は、撮像画像を記憶する画像記憶部であって、例えばカード型メモリなどのフラッシュメモリや、ＤＶＤ（Ｄｉｇｉｔａｌ Ｖｅｒｓａｔｉｌｅ Ｄｉｓｃ）などの記録媒体により実現される。記憶メディア１８は、カメラモジュール１３から連続的に出力される撮像画像を、シャッターボタン２の操作タイミングに応じて、静止画像データ（写真）として記憶してもよい。また、記憶メディア１８は、カメラモジュール１３から連続的に出力される撮像画像を、ＭＯＶＩＥボタン４の操作タイミングに応じて、動画像データ（ビデオ）として記憶してもよい。
【００３４】
ＣＰＵ１０は、デジタルカメラ１の各構成を制御する主制御部である。例えば、ＣＰＵ１０は、操作検出部１４により撮り直しボタン３の操作が検出された場合、カメラモジュール１３の撮影パラメータの変更処理を、ＲＯＭ１１のプログラムにしたがって実行する。なお、本実施形態によるＣＰＵ１０の具体的な機能構成（ＣＰＵ１０−１〜１０−３）については、後述する「３−１．第１の実施形態」〜「３−３．第３の実施形態」において各々詳細に説明する。
【００３５】
ＲＯＭ１１には、ＣＰＵ１０が撮影パラメータの変更処理を遂行するためのプログラム等が記憶されている。また、ＲＯＭ１１に記憶されているプログラムは、ＣＰＵ１０によりＲＡＭ１２をワークエリアとして用いて実行される。
【００３６】
以上、本開示の一実施形態によるデジタルカメラ１の基本構成について説明した。続いて、本実施形態に係るデジタルカメラ１による撮影パラメータの変更について、複数の実施形態を用いて具体的に説明する。ここで、各実施形態によるデジタルカメラ１のハードウェア構成は図２に示す構成に限定されず、例えば第１の実施形態によるデジタルカメラ１では、通信部１７は必須構成ではない。
【００３７】
＜＜３．各実施形態＞＞
＜３−１．第１の実施形態＞
本開示の第１の実施形態による撮影パラメータ変更システムでは、ユーザによる撮り直しボタン３の押下（撮影パラメータ変更指示操作）に応じて、撮影パラメータを変更する。このような第１の実施形態によるデジタルカメラ１のＣＰＵ１０−１の機能構成、および動作処理について順次説明する。
【００３８】
（３−１−１．ＣＰＵ１０−１の機能構成）
図３は、第１の実施形態によるＣＰＵ１０−１の機能構成を示す図である。図３に示すように、ＣＰＵ１０−１は、変更指示部１００、保持制御部１１０、変更処理部１２０、撮影指示部１３０、および表示制御部１４０を有する。
【００３９】
（変更指示部１００）
変更指示部１００は、操作検出部１４によりユーザによる撮り直し操作（撮影パラメータ変更指示操作）が検出された場合、撮影パラメータの変更処理を開始するよう変更処理部１２０に指示する。なお、かかる変更指示部１００による指示は、撮影パラメータの変更内容（マニュアル操作により設定された撮影パラメータ値等）を示すものではなく、本実施形態による変更実施を指示するためのものである。また、撮り直し操作は、図１に示す撮り直しボタン３が押下された場合や、表示部１６に表示された撮り直しボタン（不図示）がタッチされた場合に操作検出部１４により検出されてもよい。
【００４０】
（保持制御部１１０）
保持制御部１１０は、カメラモジュール１３により撮影が行われた場合に、その時の撮影パラメータを撮影パラメータ記憶部１５に保持するよう制御する。例えば、オート機能を用いて撮影された場合、環境に応じた一定範囲内の撮影パラメータが設定され、保持制御部１１０は、当該環境に応じて設定された撮影パラメータを保持させる。
【００４１】
（変更処理部１２０）
変更処理部１２０は、変更指示部１００により撮影パラメータの変更が指示されると、カメラモジュール１３の各撮影パラメータを変更するよう処理する。変更処理部１２０は、オート機能として設定されている一定の範囲内に限定せず、また、周囲の環境に依存せずに撮影パラメータを変更することができる。
【００４２】
より具体的には、変更処理部１２０は、検出された撮り直し操作に応じて、撮影パラメータの変更度合いを決定してもよい。例えば、押下／タッチ時間の長さが長い程（長押し）、または押下／タッチの強さが強い程、撮影パラメータを大きく変更し、押下／タッチ時間の長さが短い程（半押し）、または押下／タッチの強さが弱い程、撮影パラメータを小さく変更する。押下／タッチの強弱は、圧力センサにより検知された圧力の値や、タッチパネルの接触面積に基づいて判断されてもよい。また、デジタルカメラ１が加速度センサ等を有し、デジタルカメラ１（デバイス）の振り度合いを検知できる場合、変更処理部１２０は、振り度合いの強弱に応じて、撮影パラメータの変更度合いを決定してもよい。
【００４３】
また、撮影パラメータの変更度合いを示す大小のボタンが設けられている場合、変更処理部１２０は、いずれのボタンが選択されたかに応じて、撮影パラメータの変更度合いの大小を決定する。
【００４４】
また、撮影パラメータの変更度合いを示すスライドバーが設けられている場合、変更処理部１２０は、操作方向に応じて撮影パラメータの変更度合いの大小を決定する。
【００４５】
さらに、変更処理部１２０は、乱数に基づいて撮影パラメータを変更してもよい。変更処理部１２０が撮影パラメータを周囲の環境に依存せずにランダムに変更することで、オート撮影を何度も行って失敗を繰り返すことを防止し、また、結果的に最適な撮影パラメータを取得することができる。
【００４６】
または、変更処理部１２０は、学習データに基づいて撮影パラメータを変更してもよい。ここで、学習データとは、ユーザにより高い評価が行われた写真の撮影パラメータであって、撮影パラメータ記憶部１５に学習データとして記憶されているものでもよい。
【００４７】
例えば、変更処理部１２０により変更した撮影パラメータで撮影し、撮影した画像（撮像画像）を表示部１６に表示する際、表示制御部１４０は、図４に示すように、ユーザによる評価を受け付けるための満足ボタン２７を併せて表示する。満足ボタン２７がタッチされた場合（高い評価がされた場合）、撮影パラメータ記憶部１５は、当該撮影パラメータと、撮影時の状況を関連付けて学習データとして記憶する。撮影時の状況とは、例えば日時、場所、天候、室内／屋外、構図（風景画像、人物画像、人物と風景の配置等）、被写体の動きの速さ等であってもよい。
【００４８】
そして、変更処理部１２０は、撮影パラメータ記憶部１５に記憶されている学習データのうち、現在の状況に対応する状況に関連付けられた撮影パラメータに変更する。これにより、変更処理部１２０は、オート機能により予め設定された画一的な撮影パラメータではなく、実際に利用され、かつユーザの好みが反映された撮影パラメータに変更することができる。
【００４９】
また、変更処理部１２０は、予め予測された撮影困難時の対応策として設定された非常用撮影パラメータに基づいて、撮影パラメータを変更してもよい。例えば、夕焼け、朝焼けの逆光構図や、複雑な構図など、熟練した撮影者等によって予め撮影困難と予測される構図に対応できるよう、撮影パラメータ記憶部１５に非常用撮影パラメータを記憶し、変更処理部１２０は、当該非常用撮影パラメータに基づいて変更する。
【００５０】
以上、変更処理部１２０による撮影パラメータの変更方法について具体的に説明した。なお、変更処理部１２０は、複数の撮影パラメータのうち少なくともいずれかの撮影パラメータを変更してもよい。変更処理部１２０は、変更する撮影パラメータをランダムに決定してもよいし、フラッシュＯＮ／ＯＦＦやシャッタースピード等、撮影困難時の改善策として予想される撮影パラメータに決定してもよい。
【００５１】
（撮影指示部１３０）
撮影指示部１３０は、変更処理部１２０により撮影パラメータ変更の通知を受けると、撮影を行うようカメラモジュール１３を制御する。これにより、ユーザは、例えば撮り直しボタン３を押下するだけで、撮影パラメータが変更された撮像画像を取得することができる。
【００５２】
（表示制御部１４０）
表示制御部１４０は、表示部１６を制御し、変更処理部１２０によりどのように撮影パラメータが変更されたかを示すことで、ユーザに変更内容を通知することができる。例えば、表示制御部１４０は、図４に示すように、撮影パラメータの変更内容を示す通知表示２６を、撮像画像と共に表示部１６に表示するよう制御してもよい。これによりユーザは、どの撮影パラメータが変更されたかを確認することができる。また、複数の撮影パラメータのうちいずれかが変更された場合、表示制御部１４０は、どの撮影パラメータをどの程度変更したかを示す変更内容を通知してもよい。さらに、表示制御部１４０は、変更した撮影パラメータをさらに変更するか否かユーザの操作を受け付けるための操作画面を併せて表示してもよい。
【００５３】
（３−１−２．動作処理）
続いて、第１の実施形態による撮影パラメータ変更システムの動作処理について図５を参照して説明する。図５は、第１の実施形態による動作処理を示すフローチャートである。図５に示すように、まず、ステップＳ１０３において、デジタルカメラ１は、オートフォーカスで撮影し、撮影した画像（撮像画像）を表示部１６に表示する。次いで、ステップＳ１０６において、保持制御部１１０は、オートフォーカス撮影時の撮影パラメータを撮影パラメータ記憶部１５に保持する。
【００５４】
次に、ステップＳ１０９において、変更指示部１００は、操作検出部１４による検出結果に基づいて、撮り直しボタン３が押下された否かを判断する。撮り直しボタン３が押下されたと判断した場合、変更指示部１００は、変更処理部１２０に撮影パラメータの変更指示を行う。
【００５５】
続いて、撮り直しボタン３が押下され、変更処理部１２０に撮影パラメータの変更指示が行われた場合、ステップＳ１１２において、変更処理部１２０は、操作検出部１４による検出結果に基づいて、撮り直しボタン３が強く押下されたか否かを判断する。
【００５６】
次いで、強く押下されたと判断した場合、ステップＳ１１５において、変更処理部１２０は、撮影パラメータを大きく変更するようカメラモジュール１３を制御する。また、変更処理部１２０により撮影パラメータの変更通知を受けた撮影指示部１３０は、変更された撮影パラメータで撮影を行うようカメラモジュール１３を制御する。
【００５７】
一方、弱く押下されたと判断した場合、ステップＳ１１８において、変更処理部１２０は、撮影パラメータを小さく変更するようカメラモジュール１３を制御する。また、変更処理部１２０により撮影パラメータの変更通知を受けた撮影指示部１３０は、変更された撮影パラメータで撮影を行うようカメラモジュール１３を制御する。
【００５８】
このように、撮影指示部１３０は、ステップＳ１１５／Ｓ１１８において撮影パラメータを大きく／小さく変更し、撮り直しを行う。そして、ユーザが撮影画像に満足せずに撮り直しボタン３を押下する度に（ステップＳ１０９／Ｙｅｓ）、上記ステップＳ１０９〜Ｓ１１８が繰り返される。なお、図５に示す例では、ステップＳ１１５／Ｓ１１８の後、ステップＳ１０９に示す処理に戻っているが、本実施形態の動作処理はこれに限定されず、ステップＳ１１５／Ｓ１１８の後、Ｓ１０６に示す処理に戻ってもよい。
【００５９】
以上、本実施形態による撮影パラメータ変更システムの動作処理について説明した。なお、図５に示す動作処理では、撮り直しボタン３の押下の強さに応じて撮影パラメータの変更度合いを決定する方法を一例として用いているが、本実施形態による撮影パラメータの変更方法はこれに限定されない。上述したように、変更処理部１２０は、撮り直しボタン３の押下時間や、乱数等に基づいて撮影パラメータを変更してもよい。続いて、本実施形態による撮影パラメータ変更システムについて補足する。
【００６０】
（３−１−３．補足）
変更処理部１２０は、図４に示す満足ボタン２７がタッチされた場合や、戻すボタン（不図示）が選択された場合、撮影パラメータ記憶部１５に保持した変更前の撮影パラメータを参照し、カメラモジュール１３の撮影パラメータを元に戻すよう制御してもよい。
【００６１】
また、上記ステップＳ１１５またはＳ１１８に示す撮影が行われた後、再度ユーザにより撮り直しボタン３が押下された場合、変更処理部１２０は、撮影パラメータをさらに大きく変更するよう制御してもよい。また、この場合、前回と同じ撮影パラメータをさらに大きく変更してもよいし、他の撮影パラメータを変更してもよい。なお、変更処理部１２０は、撮影パラメータの変更に対するユーザの評価を受け付け、評価が良かった場合は他の撮影パラメータを変更するよう処理し、評価が悪かった場合は同じ撮影パラメータを再度変更するよう処理してもよい。
【００６２】
また、変更指示部１００は、ユーザによる撮り直し操作（撮影パラメータ変更操作）が検出された場合の他、自動的に撮影パラメータの変更指示を行ってもよい。例えば、同じ構図で所定の回数以上撮影が行われた場合、失敗を繰り返している可能性が高いので、変更指示部１００は、変更処理部１２０に撮影パラメータの変更指示を行う。
【００６３】
以上、第１の実施形態による撮影パラメータ変更システムについて詳細に説明した。本実施形態によれば、オート撮影を何度も行って失敗を繰り返すことを防止することができ、また、周囲の環境に依存せずに撮影パラメータを変更することで、結果的により適切な撮影パラメータを設定することができる。
【００６４】
＜３−２．第２の実施形態＞
上述した第１の実施形態による変更処理部１２０は、外部装置との通信に依らず、撮影パラメータを変更しているが、本開示による撮影パラメータの変更方法はこれに限定されず、例えば外部装置との通信に基づいて撮影パラメータを変更してもよい。以下、外部装置との通信に基づいて撮影パラメータを変更する第２の実施形態による撮影パラメータ変更システムの概要について、図６を参照して説明する。
【００６５】
（３−２−１．概要）
図６に示すように、第２の実施形態による撮影パラメータ変更システムは、複数のデジタルカメラ１Ａ〜１Ｃを含む。例えば、観光地で撮影者２０Ａ〜２０Ｃがそれぞれデジタルカメラ１Ａ〜１Ｃで同じ被写体Ｓを撮影している場合に、撮影者２０Ａは何度撮影しても上手く撮影できないが、隣の撮影者２０Ｂは上手く撮影できているといった状況が想定される。この時、デジタルカメラ１Ａが、デジタルカメラ１Ｂから撮影パラメータを取得し、当該撮影パラメータにデジタルカメラ１Ａの撮影パラメータを変更することができれば、失敗を繰り返すことを防止することができる。
【００６６】
このように、第２の実施形態では、デジタルカメラ同士がデータ通信を行うことで、適切な撮影パラメータを取得することができる。ユーザは、夕焼け等のオート機能では撮影し難い状況において、周囲の人の助けで満足できるきれいな写真を撮影することができる。また、観光地等の撮影スポットには撮影者が多く居るので、本実施形態によるデジタルカメラ同士のデータ通信（撮影パラメータの取得）が実現し易い。
【００６７】
また、本実施形態では、撮影者が自ら上手く撮影できたと判断する撮影画像を周囲の撮影者（ユーザ）に公開可能にすることで、周囲のユーザ（例えば撮影者２０Ｃ）から評価を受けてもよい。この場合、デジタルカメラ１Ａは、高い評価を受けている撮影画像の撮影パラメータを他のデジタルカメラから取得する。
【００６８】
なお、本実施形態によるデジタルカメラ１Ａ〜１Ｃのハードウェア構成は、図２を参照して説明した第１の実施形態によるデジタルカメラ１のハードウェア構成と同様であるので、ここでの説明を省略する。ただし、第２の実施形態によるデジタルカメラ１Ａが有するＣＰＵ１０（ＣＰＵ１０−２）の機能構成は、第１の実施形態によるデジタルカメラ１のＣＰＵ１０（ＣＰＵ１０−１）の機能構成と一部異なるので、以下図７を参照して具体的に説明する。
【００６９】
（３−２−２．ＣＰＵ１０−２の機能構成）
図７は、第２の実施形態によるデジタルカメラ１ＡのＣＰＵ１０−２の機能構成を示す図である。図７に示すように、ＣＰＵ１０−２は、変更指示部１０１、保持制御部１１０、変更処理部１２１、撮影指示部１３０、表示制御部１４０、および通信制御部１５０を有する。なお、保持制御部１１０、撮影指示部１３０、および表示制御部１４０は、図３を参照して説明した各構成と同様であるので、ここでの説明は省略する。
【００７０】
（変更指示部１０１）
変更指示部１０１は、カメラモジュール１３から出力される撮像画像に基づいて、同じ構図で所定の回数以上撮影が行われたか否かを判断する。そして、変更指示部１０１は、同じ構図で所定の回数以上撮影が行われたと判断した場合、通信制御部１５０に撮影パラメータの送信を要求するよう指示する。また、変更指示部１０１は、変更処理部１２０に撮影パラメータを変更するよう指示する。
【００７１】
（通信制御部１５０）
通信制御部１５０は、通信部１７を制御し、周辺の外部装置へのデータ送信または周辺の外部装置からのデータ受信を制御する。例えば、通信制御部１５０は、変更指示部１０１から撮影パラメータの変更を指示された場合、周辺の外部装置に対して撮影パラメータの送信要求を行う。また、通信制御部１５０は、送信要求に応じて外部装置から送信された撮影パラメータを受信するよう制御する。
【００７２】
ここで、外部装置とは、デジタルカメラ、デジタルビデオカメラ、携帯電話端末、スマートフォン等の通信機能を有する情報処理装置である。また、本実施形態による通信部１７は、赤外線通信、またはＷｉ−Ｆｉ等の近距離／近接無線通信により外部装置とデータの送受信を行う。また、本実施形態による通信部１７は、接触または非接触通信により、外部装置とデータの送受信を行ってもよい。
【００７３】
（変更処理部１２１）
変更処理部１２１は、変更指示部１０１から撮影パラメータの変更を指示されると、通信制御部１５０による送信要求に応じて外部装置（ここでは、デジタルカメラ１Ｂ）から受信した撮影パラメータに基づいて、カメラモジュール１３の各撮影パラメータを変更するよう処理する。
【００７４】
以上、第２の実施形態によるデジタルカメラ１Ａの機能構成について説明した。続いて、本実施形態による撮影パラメータ変更処理について図８を参照して説明する。
【００７５】
（３−２−３．動作処理）
図８は、第２の実施形態による撮影パラメータ変更処理を示すフローチャートである。図８に示すように、まず、ステップＳ１２３において、変更指示部１０１は、カメラモジュール１３から出力された撮像画像に基づいて、同じ構図での撮影回数をカウントする。
【００７６】
次いで、ステップＳ１２６において、変更指示部１０１は、撮影回数が所定値Ｎを上回ったか否かを判断する。次に、撮影回数が所定値Ｎを上回った場合、ステップＳ１２９において、変更指示部１０１は、通信制御部１５０に撮影パラメータの送信要求を指示する。送信要求を指示された通信制御部１５０は、通信部１７を制御し、周辺のデジタルカメラ１Ｂ、１Ｃに、撮影パラメータの送信要求を行う。
【００７７】
続いて、ステップＳ１３２において、変更処理部１２１は、通信部１７を介して撮影パラメータを取得できたか否かを判断する。
【００７８】
次に、取得できたと判断された場合（Ｓ１３２／Ｙｅｓ）、次のステップＳ１３５において、変更処理部１２１は、カメラモジュール１３の各撮影パラメータを、取得（受信）した撮影パラメータに変更するよう処理する。また、変更処理部１２１は、撮影指示部１３０に撮影パラメータを変更した旨を通知し、撮影指示部１３０は、変更された撮影パラメータで撮影を行うようカメラモジュール１３を制御する。
【００７９】
これにより、本実施形態によるデジタルカメラ１Ａは、同じ構図で何度も撮影を繰り返している場合に、自動的に他のデジタルカメラ１Ｂ／１Ｃから撮影パラメータを取得し、変更することで、失敗の繰り返しを防止することができる。
【００８０】
次いで、ステップＳ１３８において、変更指示部１０１は、ユーザ（撮影者２０Ａ）が撮像画像に満足したか否かを判断する。例えば、撮影者２０Ａは、他のデジタルカメラ１Ｂ／１Ｃから取得した撮影パラメータで撮影した撮像画像に満足した場合、撮像画像と共に表示されている満足ボタン２７（図４参照）をタッチしてもよい。よって、変更指示部１０１は、操作検出部１４により満足ボタン２７がタッチされたことが検出された場合、撮影者２０Ａが撮像画像に満足したと判断することができる。
【００８１】
次に、撮影者２０Ａが撮像画像に満足したと判断された場合（ステップＳ１３８／Ｙｅｓ）、ステップＳ１４１において、通信制御部１５０は、撮影パラメータの送信元のデジタルカメラ１Ｂ／１Ｃに対して、撮影満足ポイントを送信する。さらに、通信制御部１５０は、併せてお礼メールを撮影パラメータの送信元のデジタルカメラ１Ｂ／１Ｃに送信してもよい。
【００８２】
（３−２−４．補足）
上述した第２の実施形態による変更指示部１００は、同じ構図で所定の回数以上撮影が行われた場合など、自動的に撮影パラメータの変更指示を行う他、ユーザによる撮り直しボタン３の押下操作が検出された場合をトリガとして変更指示を行ってもよい。
【００８３】
また、上述した第２の実施形態において、デジタルカメラ１Ａの通信制御部１５０は、撮影パラメータの送信要求を周辺の複数のデジタルカメラ１Ｂ／１Ｃにブロードキャストで送信してもよい。これにより、デジタルカメラ１Ａは、要求に応じた周辺のデジタルカメラから撮影パラメータを取得することができるので、撮影失敗を何度も繰り返すことを防止することができる。
【００８４】
また、デジタルカメラ１Ａの通信制御部１５０は、撮影パラメータの送信要求をユーザにより指定された周辺のデジタルカメラに送信してもよい。これにより、例えば隣の撮影者２０Ｂがデジタルカメラ１Ｂで撮影した撮影画像が、撮影者２０Ａ（ユーザ）の好みに合っている場合、デジタルカメラ１Ａは、当該撮影画像の撮影パラメータをデジタルカメラ１Ｂから取得する。
【００８５】
また、デジタルカメラ１Ａから送信要求を受信したデジタルカメラ１Ｂ／１Ｃは、撮影者２０Ｂ／２０Ｃの許可がある場合、デジタルカメラ１Ａに撮影パラメータを送信するよう制御してもよい。撮影者２０Ｂ／２０Ｃの許可は、予め撮影画像毎に設定されていてもよい。また、デジタルカメラ１Ｂ／１Ｃは、撮影パラメータ共有モードがＯＮの場合、全ての撮影画像に撮影パラメータ送信許可が設定されているとしてもよい。
【００８６】
また、デジタルカメラ１Ｂ／１Ｃは、撮影画像を公開し、他人からの評価が高く（例えばＧｏｏｄポイントを所定閾値以上取得）、撮影者２０Ｂ／２０Ｃの許可がある場合、デジタルカメラ１Ａからの送信要求に応じて撮影パラメータを送信してもよい。これにより、デジタルカメラ１Ａは、客観的に評価が高い撮影画像の撮影パラメータを取得することができる。以下、他人からの評価に応じて撮影パラメータを送信する本実施形態によるデジタルカメラ１Ｂの動作処理について図９を参照して説明する。
【００８７】
図９に示すように、まず、ステップＳ１４３において、デジタルカメラ１Ｂは、ユーザ操作に応じて、周辺の情報処理装置に撮影画像を公開する。
【００８８】
一方、ステップＳ１４４において、デジタルカメラ１Ｃは、例えば図１０に示すように、周辺の情報処理装置において公開されている撮像画像を、周辺ユーザの公開画像３０Ａ〜３０Ｄとして表示部１６に表示する。
【００８９】
次に、ステップＳ１４４において、デジタルカメラ１Ｃは、撮影者２０Ｃによる公開画像に対する評価を受け付けると、評価結果を公開元の情報処理装置（例えばデジタルカメラ１Ｂ）に送信する。例えば、デジタルカメラ１Ｃは、図１０に示すように、周辺ユーザの公開画像３０Ａ〜３０Ｄと共に表示したＧｏｏｄボタン３３がタッチされた場合、評価結果としてＧｏｏｄポイントを送信する。
【００９０】
次いで、ステップＳ１４６において、デジタルカメラ１Ｂは、獲得したＧｏｏｄポイントが所定閾値を超えたか否かを判断する。なお、図９に示す例では、一例として、デジタルカメラ１ＣからＧｏｏｄポイントを受信する場合について示しているが、これに限定されず、本実施形態によるデジタルカメラ１Ｂは、他の情報処理装置からもＧｏｏｄポイントを受信することが可能である。
【００９１】
次に、Ｇｏｏｄポイントが所定閾値を超えた場合（ステップＳ１４６／Ｙｅｓ）、ステップＳ１４９において、デジタルカメラ１Ｂは、Ｇｏｏｄポイントが所定閾値を超えた撮影画像の撮影パラメータを送信してもよいか、撮影者Ｂの許可を受け付ける。
【００９２】
次いで、送信許可があった場合（ステップＳ１４９／Ｙｅｓ）、ステップＳ１５２において、デジタルカメラ１Ｂは、他のデジタルカメラ（例えばデジタルカメラ１Ａ）から撮影パラメータの送信要求があった場合、要求に応じて、撮影パラメータを送信する。
【００９３】
一方、送信許可がされなかった場合（ステップＳ１４９／Ｎｏ）、ステップＳ１５５において、デジタルカメラ１Ｂは、当該撮影画像に対し、撮影パラメータ非送信の設定を行う。
【００９４】
以上、第２の実施形態による補足として、他人からの評価に応じて撮影パラメータを送信するデジタルカメラの動作処理について説明した。なお、上記ステップＳ１４６において、デジタルカメラ１Ｂは、Ｇｏｏｄポイントが所定閾値を超えたか否かを判断しているが、これに限定されず、例えば多数決により選ばれたか否かを判断してもよい。
【００９５】
具体的には、本実施形態において、図１０に示すように複数の公開画像３０Ａ〜３０Ｃと共に、獲得したＧｏｏｄポイント数を示す表示３１を表示し、公開画像３０Ａ〜３０ＣのうちＧｏｏｄポイント数が最も多い公開画像が、多数決により選ばれた画像としてもよい。
【００９６】
また、上記ステップＳ１５５において、撮影パラメータ非送信設定が行われた場合、デジタルカメラ１Ｂは、当該撮影画像を他のデジタルカメラに公開する際、図１０に示すように、撮影パラメータ要求不可を示す表示３５を付けて公開してもよい。
【００９７】
＜３−３．第３の実施形態＞
以上説明した第１、２の実施形態による撮影パラメータ変更システムでは、撮り直しボタン３が押下された場合や、同じ構図で何度も撮影が行われた場合等、ユーザが撮影に満足していない場合に撮影パラメータを変更している。しかし、本開示による撮影パラメータの変更システムはこれに限定されず、例えばユーザが撮影に満足している場合に撮影パラメータを変更してもよい。
【００９８】
具体的には、例えば図１１に示すように、撮影者２０Ｄが撮影に満足している場合でも、近くに居る撮影者２０Ｅが撮影した画像が好みに合う撮影画像である場合も想定される。そこで、第３の実施形態によるデジタルカメラ１Ｄは、ユーザ操作に応じて近くにある情報処理装置であるデジタルカメラ１Ｅに対して撮影パラメータの送信要求を行い、デジタルカメラ１Ｅから撮影パラメータを受信し、受信した撮影パラメータに変更してもよい。
【００９９】
なお、本実施形態によるデジタルカメラ１Ｄ〜１Ｅのハードウェア構成は、図２を参照して説明した第１の実施形態によるデジタルカメラ１のハードウェア構成と同様であるので、ここでの説明を省略する。ただし、第３の実施形態によるデジタルカメラ１Ｄが有するＣＰＵ１０（ＣＰＵ１０−３）の機能構成は、第１の実施形態によるデジタルカメラ１のＣＰＵ１０（ＣＰＵ１０−１）の機能構成と一部異なるので、以下図１２を参照して具体的に説明する。
【０１００】
（３−３−１．ＣＰＵ１０−３の機能構成）
図１２は、第３の実施形態によるデジタルカメラ１ＤのＣＰＵ１０−３の機能構成を示す図である。図１２に示すように、ＣＰＵ１０−３は、変更指示部１０３、保持制御部１１０、変更処理部１２３、撮影指示部１３０、表示制御部１４０、および通信制御部１５０を有する。なお、保持制御部１１０、撮影指示部１３０、表示制御部１４０、および通信制御部１５０は、図３、図７を参照して説明した各構成と同様であるので、ここでの説明は省略する。
【０１０１】
（変更指示部１０３）
変更指示部１０３は、ユーザによる変更指示操作に応じて通信制御部１５０に撮影パラメータの送信要求を行うよう指示する。また、変更指示部１０３は、変更処理部１２０に撮影パラメータを変更するよう指示する。
【０１０２】
ここで、ユーザによる変更指示操作とは、デジタルカメラ１Ｄに設けられた撮影パラメータ変更指示用ボタン（不図示）の押下であってもよいし、表示部１６に表示された撮影パラメータ変更指示用ボタンのタッチであってもよい。
【０１０３】
（変更処理部１２３）
変更処理部１２３は、変更指示部１０３から撮影パラメータの変更を指示されると、通信制御部１５０による送信要求に応じて外部装置から送信された撮影パラメータに基づいて、カメラモジュール１３の各撮影パラメータを変更するよう処理する。
【０１０４】
以上、第３の実施形態によるデジタルカメラ１Ｄの機能構成について説明した。続いて、本実施形態によるデジタルカメラ１Ｄの撮影パラメータ変更処理について図１３を参照して説明する。
【０１０５】
（３−３−２．動作処理）
図１３は、第３の実施形態によるデジタルカメラ１Ｄの撮影パラメータ変更処理を示すフローチャートである。図１３に示すように、まず、ステップＳ１６０において、デジタルカメラ１Ｄの操作検出部１４は、ユーザによる変更指示操作を検出する。
【０１０６】
次いで、ステップＳ１６３において、変更指示部１０３は、通信制御部１５０に、撮影パラメータの送信要求を指示する。送信要求を指示された通信制御部１５０は、通信部１７を制御し、周辺のデジタルカメラ１Ｄに撮影パラメータの送信要求を行う。
【０１０７】
次に、ステップＳ１６６において、デジタルカメラ１Ｅは、撮影パラメータの送信が許可されているか否かを判断する。
【０１０８】
次いで、撮影パラメータの送信が許可されている場合（Ｓ１６６／Ｙｅｓ）、ステップＳ１６９において、デジタルカメラ１Ｅは、撮影パラメータをデジタルカメラ１Ｄに送信する。
【０１０９】
一方、撮影パラメータの送信が許可されていない場合（Ｓ１６６／Ｎｏ）、ステップＳ１７２において、デジタルカメラ１Ｅは、ＮＧ信号をデジタルカメラ１Ｄに送信する。
【０１１０】
次に、ステップＳ１７５において、変更処理部１２３は、デジタルカメラ１Ｅから受信したデータに基づいて、所望の撮影パラメータを取得したか否かを判断する。
【０１１１】
次いで、所望の撮影パラメータを取得したと判断された場合（ステップＳ１７５／Ｙｅｓ）、ステップＳ１７８において、変更処理部１２３は、カメラモジュール１３の各撮影パラメータを、取得（受信）した撮影パラメータに変更するよう処理する。また、変更処理部１２３は、撮影指示部１３０に撮影パラメータを変更した旨を通知し、撮影指示部１３０は、変更された撮影パラメータで撮影を行うようカメラモジュール１３を制御する。
【０１１２】
一方、所望の撮影パラメータを取得していないと判断された場合（ステップＳ１７５／Ｎｏ）、ステップＳ１６３に戻り、再度撮影パラメータの送信要求を行う。なお、所定の回数送信要求を繰り返しても所望の撮影パラメータを取得できなかった場合、表示制御部１４０は、取得失敗の旨を表示してユーザに通知してもよい。
【０１１３】
以上説明したように、第３の実施形態による撮影パラメータ変更システムによれば、ユーザによる変更指示操作に応じて、近くのデジタルカメラから所望する撮影パラメータを取得し、所望する撮影パラメータに変更することができる。
【０１１４】
なお、本実施形態では、近くのデジタルカメラ１Ｅから取得した所望する撮影パラメータが、自身のデジタルカメラ１Ｄで現在設定されている撮影パラメータと同じである場合も想定される。本実施形態による変更処理部１２３は、このような場合でも、取得した所望する撮影パラメータに基づいて撮影パラメータを設定するよう処理してもよい。
【０１１５】
＜＜４．まとめ＞＞
上述したように、本開示による撮影パラメータ変更システムでは、撮影パラメータを周囲の環境に依存せずに変更することで、撮影パラメータの変更方法を向上させることができる。
【０１１６】
より具体的には、例えば第１の実施形態による撮影パラメータ変更システムでは、ユーザによる撮り直し操作に応じて、周囲の環境に依存せず、所定の方法に基づいて撮影パラメータを変更することで、結果的に適切な撮影パラメータを取得することができる。所定の方法とは、上述したように、操作の強弱に応じた変更度合いで撮影パラメータを変更する方法や、乱数、学習データ、または非常用撮影パラメータに基づいて変更する方法であってもよい。
【０１１７】
また、第２の実施形態による撮影パラメータ変更システムでは、同じ構図で所定の回数以上撮影が繰り返された場合、周囲の外部装置に撮影パラメータの送信要求を行い、周囲の外部装置から撮影パラメータを受信し、受信した撮影パラメータに基づいて変更する。これにより、本実施形態では、周囲の環境に依存せず、撮影パラメータを変更できるので、撮影失敗を繰り返し続けてしまうことを防止し、また、結果的に適切な撮影パラメータを取得することができる。また、本実施形態において、第三者の評価が高い撮影パラメータを外部装置から受信することで、より確実に最適な撮影画像を取得することができる。
【０１１８】
また、第３の実施形態による撮影パラメータ変更システムでは、ユーザによる変更指示操作に応じて、近くにある外部装置に撮影パラメータの送信要求を行い、当該外部装置から所望する撮影パラメータを受信し、受信した撮影パラメータに基づいて変更する。これにより、本実施形態では、ユーザの好みに合った画像を撮影するための撮影パラメータを取得することができる。
【０１１９】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１２０】
例えば、本実施形態によるデジタルカメラ１は、同じ構図で所定の回数以上撮影が行われた場合等に、「撮影パラメータを変更しますか？」といった提案画面を自動的に表示し、ユーザによる変更指示があった場合に、撮影パラメータの変更処理を行ってもよい。
【０１２１】
なお、本技術は以下のような構成も取ることができる。
（１）
撮影パラメータを保持させる保持制御部と、
前記撮影パラメータの変更を指示する変更指示部と、
前記変更指示部からの指示に応じて、周囲の環境に依存せずに前記撮影パラメータを変更する変更処理部と、
を備え、
前記変更指示部からの指示は、前記撮影パラメータの変更の内容を示すものではなく、変更実施を指示するものである、情報処理装置。
（２）
前記保持制御部により保持させられる変更前の前記撮影パラメータは、周囲の環境に応じて設定された撮影パラメータである、前記（１）に記載の情報処理装置。
（３）
前記情報処理装置は、
ユーザによる操作を検出する操作検出部をさらに備え、
前記変更指示部は、前記操作検出部によりユーザによる変更指示操作が検出された場合、前記撮影パラメータの変更を指示する、前記（１）または前記（２）に記載の情報処理装置。
（４）
前記変更処理部は、前記操作検出部により検出された変更指示操作に応じて、前記撮影パラメータの変更度合いを決定する、前記（３）に記載の情報処理装置。
（５）
前記変更処理部は、前記変更指示操作における操作時間の長さ、操作の強さ、または操作の方向に応じて、前記撮影パラメータの変更度合いを決定する、前記（４）に記載の情報処理装置。
（６）
前記変更指示部は、同じ構図で所定の回数以上撮像動作が行われた場合、前記撮影パラメータの変更を指示する、前記（１）に記載の情報処理装置。
（７）
前記変更処理部は、乱数に基づいて前記撮影パラメータを変更する、前記（１）〜前記（６）のいずれか１項に記載の情報処理装置。
（８）
前記変更処理部は、学習データに基づいて、前記撮影パラメータを変更する、前記（１）〜前記（７）のいずれか１項に記載の情報処理装置。
（９）
前記変更処理部は、予め設定された非常用撮影パラメータに基づいて、前記撮影パラメータを変更する、前記（１）〜前記（８）のいずれか１項に記載の情報処理装置。
（１０）
前記撮影パラメータは、シャッター速度、絞り、ＥＶシフト、ＩＳＯ感度、露出モード、ホワイトバランス、色強調、彩度、コントラスト、シャープネス、またはフラッシュ撮影ＯＮ／ＯＦＦの少なくともいずれかである、前記（１）〜前記（９）のいずれか１項に記載の情報処理装置。
（１１）
前記変更処理部は、複数の撮影パラメータのうち少なくともいずれかの撮影パラメータを変更する、前記（１）〜前記（１０）のいずれか１項に記載の情報処理装置。
（１２）
前記情報処理装置は、
前記変更処理部による前記撮影パラメータの変更内容をユーザに通知する通知部をさらに備える、前記（１）〜前記（１１）のいずれか１項に記載の情報処理装置。
（１３）
前記変更処理部は、変更した撮影パラメータを、前記保持制御部により保持された前記撮影パラメータに戻す処理を行う、前記（１）〜前記（１２）のいずれか１項に記載の情報処理装置。
（１４）
前記情報処理装置は、
前記変更処理部により変更された撮影パラメータに基づいて撮像を行うよう撮像部に指示する撮像指示部と、
撮像した撮像画像に対するユーザの評価に応じて、前記撮影パラメータを他の情報処理装置に送信する送信部と、
をさらに備える、前記（１）〜前記（１３）のいずれか１項に記載の情報処理装置。
（１５）
前記情報処理装置は、
前記変更指示部からの指示に応じて、他の情報処理装置に要求信号を送信する送信部と、
前記要求信号に応じた撮影パラメータを受信する受信部と、
前記受信部により受信した撮影パラメータに基づいて撮像を行うよう撮像部に指示する撮像指示部と、
をさらに備える、前記（１）〜前記（１３）のいずれか１項に記載の情報処理装置。
（１６）
撮影パラメータを保持させる処理と、
前記撮影パラメータの変更を指示する処理と、
前記変更を指示する処理による指示に応じて、周囲の環境に依存せずに前記撮影パラメータを変更する処理と、
をコンピュータに実行させ、
前記変更を指示する処理による指示は、前記撮影パラメータの変更の内容を示すものではなく、変更実施を指示するものであるプログラムが記憶された、記憶媒体。
【符号の説明】
【０１２２】
１、１Ａ〜１Ｅ    デジタルカメラ（情報処理装置）
２    シャッターボタン
３    撮り直しボタン
４    ＭＯＶＩＥ（動画）ボタン
５    再生ボタン
６    ダイヤルボタン
１０、１０−１〜１０−３    ＣＰＵ
１００、１０１、１０３    変更指示部
１１０    保持制御部
１２０、１２１、１２３    変更処理部
１３０    撮影指示部
１４０    表示制御部
１５０    通信制御部
１１    ＲＯＭ
１２    ＲＡＭ
１３    カメラモジュール
１４    操作検出部
１５    撮影パラメータ記憶部
１６    表示部
１７    通信部
１８    記憶メディア
２０Ａ〜２０Ｄ    撮影者
Ｓ    被写体
【図１】
2013183338.tif 000003
【図２】
2013183338.tif 000004
【図３】
2013183338.tif 000005
【図４】
2013183338.tif 000006
【図５】
2013183338.tif 000007
【図６】
2013183338.tif 000008
【図７】
2013183338.tif 000009
【図８】
2013183338.tif 000010
【図９】
2013183338.tif 000011
【図１０】
2013183338.tif 000012
【図１１】
2013183338.tif 000013
【図１２】
2013183338.tif 000014
【図１３】
2013183338.tif 000015
【国際調査報告】
2013183338.tif 000016
2013183338.tif 000017
2013183338.tif 000018
2013183338.tif 000019
2013183338.tif 000020
2013183338.tif 000021